(57)【要約】【課題】バリアブル印刷のプレビュー表示において差し替え部分を容易に確認することができるプリント制御システム等を提供する。【解決手段】プリントデータの一部を差し替えデータで置き換えた後のイメージデータを、要求に応じてプレビュー表示手段へ転送するイメージデータ転送部を有し、前記プレビュー表示手段は、前記イメージデータ転送部から受け取ったイメージデータ中の前記差し替えデータの領域がそれ以外のデータ領域と視覚的に区別できるように、当該イメージデータを表示する。【選択図】　　　　図５
2004078669.tif 000002
【特許請求の範囲】
【請求項１】
プリントデータの一部を差し替えデータで置き換えた後のイメージデータを、要求に応じてプレビュー表示手段へ転送するイメージデータ転送部を有し、
前記プレビュー表示手段は、前記イメージデータ転送部から受け取ったイメージデータ中の前記差し替えデータの領域がそれ以外のデータ領域と視覚的に区別できるように、当該イメージデータを表示することを特徴とするプレビュー表示制御装置。
【請求項２】
プリントデータ及び差し替えデータをネットワーク上へ出力するプリントデータ出力手段を有するプリント制御システムであって、
前記ネットワークを介して前記プリントデータと前記差し替えデータを受け取るデータ受け取り部と、
前記プリントデータの一部を前記差し替えデータで置き換える差し替えデータ変換部と、
前記差し替えデータ変換部で置き換え処理されたデータをイメージデータに変換してイメージデータ格納部に格納すると共に、該イメージデータ格納部のイメージデータを画像形成処理するためにプリントエンジン部へ送る画像形成部と、前記イメージデータ格納部に格納されたイメージデータを、要求に応じてプレビュー表示手段へ転送するイメージデータ転送部とを備え、
前記プレビュー表示手段は、前記イメージデータ転送部から受け取ったイメージデータ中の前記差し替えデータの領域がそれ以外のデータ領域と視覚的に区別できるように、当該イメージデータを表示することを特徴とするプリント制御システム。
【請求項３】
プリントデータの一部を差し替えデータで置き換えた後のイメージデータを、要求に応じて転送するイメージデータ転送行程を実行し、
前記イメージデータ転送行程で転送されたイメージデータを受け取り、そのイメージデータ中の前記差し替えデータの領域がそれ以外のデータ領域と視覚的に区別できるように、当該イメージデータを表示手段に表示することを特徴とするプレビュー表示制御方法。
【請求項４】
コンピュータで実行可能な制御プログラムであって、
プリントデータの一部を差し替えデータで置き換えた後のイメージデータを受け取り、そのイメージデータ中の前記差し替えデータの領域がそれ以外のデータ領域と視覚的に区別できるように、当該イメージデータを表示手段に表示するステップを有することを特徴とする制御プログラム。
【発明の詳細な説明】
【０００１】
【発明の属する技術分野】
本発明は、バリアブル印刷が可能なプリント制御システム等に関する。
【０００２】
【従来の技術】
文章や写真など印刷物の一部分を差し替えて印刷するいわゆるバリアブル印刷では、印刷前に出力される状態を確認できるプレビュー手段を設けているのが一般的である。この印刷前に確認できるプレビューは、最終出力データをそのまま表示したものであった。
【０００３】
【発明が解決しようとする課題】
上述したバリアブル印刷では、それぞれの出力において一部分が各々異なっているため、正しく差し替わっているのか、またどこが差し替わっているのかの確認が必要であるが、通常表示したプレビュー表示では、最終出力データをそのまま表示したもののみであるため、差し替え部分の確認が非常に困難であった。
【０００４】
本発明は上記従来の問題点に鑑み、バリアブル印刷のプレビュー表示において差し替え部分を容易に確認することができるプリント制御システム等を提供することを目的とする。
【０００５】
【課題を解決するための手段】
上記目的を達成するために、本発明のプレビュー表示制御装置では、プリントデータの一部を差し替えデータで置き換えた後のイメージデータを、要求に応じてプレビュー表示手段へ転送するイメージデータ転送部を有し、前記プレビュー表示手段は、前記イメージデータ転送部から受け取ったイメージデータ中の前記差し替えデータの領域がそれ以外のデータ領域と視覚的に区別できるように、当該イメージデータを表示することを特徴とする。
【０００６】
本発明のプリント制御システムでは、プリントデータ及び差し替えデータをネットワーク上へ出力するプリントデータ出力手段を有するプリント制御システムであって、前記ネットワークを介して前記プリントデータと前記差し替えデータを受け取るデータ受け取り部と、前記プリントデータの一部を前記差し替えデータで置き換える差し替えデータ変換部と、前記差し替えデータ変換部で置き換え処理されたデータをイメージデータに変換してイメージデータ格納部に格納すると共に、該イメージデータ格納部のイメージデータを画像形成処理するためにプリントエンジン部へ送る画像形成部と、前記イメージデータ格納部に格納されたイメージデータを、要求に応じてプレビュー表示手段へ転送するイメージデータ転送部とを備え、前記プレビュー表示手段は、前記イメージデータ転送部から受け取ったイメージデータ中の前記差し替えデータの領域がそれ以外のデータ領域と視覚的に区別できるように、当該イメージデータを表示することを特徴とする。
【０００７】
本発明のプレビュー表示制御方法では、プリントデータの一部を差し替えデータで置き換えた後のイメージデータを、要求に応じて転送するイメージデータ転送行程を実行し、前記イメージデータ転送行程で転送されたイメージデータを受け取り、そのイメージデータ中の前記差し替えデータの領域がそれ以外のデータ領域と視覚的に区別できるように、当該イメージデータを表示手段に表示することを特徴とする。
【０００８】
本発明の制御プログラムでは、コンピュータで実行可能な制御プログラムであって、プリントデータの一部を差し替えデータで置き換えた後のイメージデータを受け取り、そのイメージデータ中の前記差し替えデータの領域がそれ以外のデータ領域と視覚的に区別できるように、当該イメージデータを表示手段に表示するステップを有することを特徴とする。
【０００９】
【発明の実施の形態】
以下、本発明の実施の形態を図面に基づいて説明する。
【００１０】
＜プリント制御システムの全体構成＞
図１は、本発明の実施の一形態に係るプリント制御システムの全体的構成を示すブロック図である。
【００１１】
このプリント制御システムは、画像データ差し替えプリント手段１００と、プリントデータ出力手段２００と、プレビュー表示手段３００と、ネットワーク４００とを備えている。
【００１２】
画像データ差し替えプリント手段１００は、ネットワーク接続部１１０、ジョブ制御部１２０、プリントデータ・データベース１３０、差し替えデータ・データベース１４０、差し替えデータ変換部１５０、画像形成部１６０、イメージデータ格納部１７０、及びイメージデータ転送部１８０から成る。
【００１３】
画像データ差し替えプリント手段１００のネットワーク接続部１１０は、ネットワーク４００に接続し、データの送受信を行う。ジョブ制御部１２０は、ネットワーク接続部１１０からのデータを受け取って、プリントデータ・データベース１３０や差し替えデータ・データベース１４０にデータを保存したり、プリントデータ・データベース１３０や差し替えデータ・データベース１４０からデータを読み出し、差し替えデータ変換部１５０にデータを送ったりする。
【００１４】
プリントデータ・データベース１３０は、受信したプリントデータが保存されているデータベースであり、差し替えデータ・データベース１４０は、受信した差し替えデータが保存されているデータベースであり、差し替えデータ変換部１５０は、プリントデータの所定位置にそれぞれの差し替えデータを置き換え、一部分だけ異なる複数のプリント用のデータを作成する処理をする機能を有する。
【００１５】
画像形成部１６０は、プリント用のデータをイメージデータに変換し、イメージデータ格納部１７０に保存したり、イメージデータ格納部１７０に保存されているイメージデータをプリントエンジン１９０に送る処理を行う。
【００１６】
イメージデータ格納部１７０は、作成されたイメージデータを格納する部分であり、イメージデータ転送部１８０は、イメージデータ格納部１７０からイメージデータを読み出しネットワーク接続部１１０を介してネットワーク４００を通じてイメージデータを転送する部分であり、例えばインターネットで用いられるプロトコルで接続されたＷＷＷサーバで構成される。
【００１７】
プリントデータ出力手段２００は、ネットワーク接続部２１０、プリント出力要求部２２０、プリントデータ保存部２３０、及び差し替えデータ保存部２４０から成る。プリントデータ出力手段２００のネットワーク接続部２１０は、ネットワーク４００に接続し、データの送受信を行う。プリント出力要求部２２０は、プリントデータ保存部２３０や差し替えデータ保存部２４０に保存されているデータを画像データ差し替えプリント手段１００にネットワーク４００を介して送り出す部分である。プリントデータ保存部２３０は、プリントされるベースの部分であるプリントデータが保存されているところである。差し替えデータ保存部２４０は、プリントデータの一部分をそれぞれの出力差し替えでデータを完成させる部分である。
【００１８】
また、プレビュー表示手段３００は、ネットワーク接続部３１０とイメージデータ表示部３２０から成る。ネットワーク接続部３１０は、ネットワーク４００に接続し、データの送受信を行い、イメージデータ表示部３２０は、ネットワークを介してイメージデータを受信してそのデータを表示する。
【００１９】
＜プリンタエンジンの構成＞
図２は、プリンタエンジン１９０の一例を示すリーダ部１０００及びプリンタ部２０００の断面図である。
【００２０】
リーダ部１０００の原稿給送装置１１０１は、原稿を最終頁から順に１枚ずつプラテンガラス１１０２上へ給送し、原稿の読み取り動作終了後、プラテンガラス１１０２上の原稿を排出するものである。原稿がプラテンガラス１１０２上を搬送されると、ランプ１１０３を点燈し、そしてスキャナユニット１１０４の移動を開始させて、原稿を露光走査する。このときの原稿からの反射光は、ミラー１１０５、１１０６、１１０７によってＣＣＤイメージセンサ１１０９へ導かれる。
【００２１】
このように走査された原稿の画像はＣＣＤ１１０９によって読み取られる。ＣＣＤ１１０９から出力される画像データは、所定の処理が施された後、プリンタ部２０００及び画像入出力制御部のコア部へ転送される。
【００２２】
プリンタ部２０００には、レーザ発光部２２０１を駆動するためのレーザドライバがあって、リーダ部１０００から出力された画像データに応じてレーザ発光部２２０１を駆動し発光させる。このレーザ光は回転多面鏡で掃引された後、感光ドラム２２０２に照射され、感光ドラム２２０２上にレーザ光の露光に応じた潜像を形成させる。
【００２３】
この感光ドラム２２０２の潜像の部分には現像器２２０３によって現像剤が付着される。そして、レーザ光の照射開始と同期したタイミングで、カセット２２０４及びカセット２２０５のいずれかから記録紙を給紙して転写部２２０６へ搬送し、感光ドラム２２０２に付着された現像剤を記録紙に転写する。現像剤が転写された記録紙は定着部２２０７に搬送され、定着部２２０７の熱と圧力により現像剤は記録紙に定着される。定着部２２０７を通過した記録紙は排出ローラ２２０８によって排出され、ソータ２２２０は排出された記録紙をそれぞれのビンに収納して記録紙の仕分けを行う。なお、ソータ２２２０は仕分けが設定されていない場合は最上ビンに記録紙を収納する。
【００２４】
また、両面記録が設定されている場合は、排出ローラ２２０８の回転方向を逆転させ、フラッパ２２０９によって再給紙搬送路へ導く。多重記録が設定されている場合は、記録紙を排出ローラ２２０８まで搬送しないようにフラッパ２２０９によって再給紙搬送路へ導く。再給紙搬送路へ導かれた記録紙は上述したタイミングで転写部２２０６へ給紙される。
【００２５】
＜プリントデータと差し替えデータ＞
図３（ａ），（ｂ）は、プリントデータ４１０と差し替えデータ４２０の説明図である。
【００２６】
プリントデータ４１０には、差し替えデータ４２０で差し替えたい部分があり、それが出力部に応じて差し替えデータ４２０の一部と差し替えられる。
【００２７】
差し替え後のイメージデータを図４（ａ），（ｂ），（ｃ）に示す。同図に示すものは一部分のみ異なる例であるが、この場合は、複数のプリントデータを作成することなく、１つのプリントデータに変更部分のみ差し替えデータとして作成し、その部分を置き換えればよい。
【００２８】
＜プリントデータ出力手段２００の動作＞
図５は、プリントデータ出力手段２００の動作を示すフローチャートである。
【００２９】
ステップ５０１でプリント出力を要求するか判断し、要求する場合はステップ５０２に進み、要求しない場合はステップ５０１を繰り返す。さらに、ステップ５０２において、プリントデータ保存部２３０に保存されているプリントデータの中からプリントするプリントデータを指定する。その後ステップ５０３において、差し替えデータ保存部２４０に保存されている差し替えデータの中から差し替える差し替えデータを指定する。
【００３０】
次のステップ５０４において、画像データ差し替えプリント手段１００にプリントデータと差し替えデータを送信し、さらにステップ５０５において、画像データ差し替えプリント手段１００にバリアブル印刷準備を指示する。
【００３１】
＜画像データ差し替えプリント手段１００の動作＞
図６及び図７は、画像データ差し替えプリント手段１００の動作を示すフローチャートである。
【００３２】
まずステップ６０１において、プリントデータの受信が開始されたかをチェックし、受信を開始した場合、ステップ６０２に進み、まだ受信を開始していない場合、ステップ６０１に戻る。ステップ６０２では、受信したプリントデータをプリントデータ・データベース１３０に保存する。
【００３３】
ステップ６０３において、プリントデータの受信が完了したかをチェックし、完了した場合は、ステップ６０４に進み、完了していない場合は、ステップ６０２から繰り返す。
【００３４】
ステップ６０４では、差し替えデータの受信が開始されたかをチェックし、受信を開始した場合、ステップ６０５に進み、まだ受信を開始していない場合、ステップ６０４に戻る。ステップ６０５では、受信した差し替えデータを差し替えデータ・データベースに保存する。
【００３５】
続くステップ６０６においては、差し替えデータの受信が完了したかをチェックし、完了した場合は、ステップ６０７に進み、完了していない場合は、ステップ６０５から繰り返す。
【００３６】
ステップ６０７においては、バリアブル印刷の準備コマンドが通知されてきたかをチェックし、まだ通知されてこない場合は、ステップ６０７に戻り、通知されていた場合は、ステップ６０８に進む。ステップ６０８では、差し替えデータ変換部１５０でプリントデータの一部を差し替えデータで差し替える処理を行い、ステップ６０９に進む。ステップ６０９では、差し替えられたデータを画像形成部１６０でイメージデータに変換し、イメージデータ格納部１７０に保存する処理を行う。
【００３７】
次に、ステップ６１０において、イメージデータの転送要求がきているかをチェックし、要求がきていない場合はステップ６１０の戻り、要求がきている場合はステップ６１１に進み、イメージデータ格納部１７０からイメージデータを転送する。
【００３８】
その後は、ステップ６１２において、バリアブル印刷スタートのコマンドがきているかをチェックし、スタートコマンドがきていない場合は、ステップ６１２に戻り、スタートコマンドがきている場合は、ステップ６１３に進む。ステップ６１３では、画像形成部１６０がイメージデータ格納部１７０からイメージデータを読み出し、プリントエンジンでプリントアウトする処理を行い、処理を終了する。
【００３９】
＜プレビュー表示手段３００の動作＞
図８は、プレビュー表示手段３００の動作を示すフローチャートである。
【００４０】
まずステップ７０１においてバリアブル印刷のプレビューを要求するかをチェックし、要求がない場合は、ステップ７０１に戻り、要求がある場合は、ステップ７０２に進む。ステップ７０２では、プレビュー要求コマンドを送信する。
【００４１】
次にステップ７０３において、送られてきたイメージデータの受信が完了したかをチェックし、完了していない場合はステップ７０３に戻り再度チェックする。完了している場合は、ステップ７０４に進む。ステップ７０４では、受信したイメージデータ中の差し替えデータ部分がそれ以外のデータ部分と視覚的に区別できるように、当該イメージデータの差し替え部分を強調してプレビュー表示する処理を行う。
【００４２】
そして、ステップ７０５に進み、バリアブル印刷をスタートさせるかをチェックする。まだバリアブル印刷をスタートさせない場合は終了し、スタートさせる場合は、ステップ７０６に進み、バリアブル印刷のスタートコマンドを発行しプリントを開始させて、処理を終了する。
【００４３】
バリアブル印刷では、それぞれの出力において一部分が各々異なっているため、正しく差し替わっているのか、またどこが差し替わっているのかの確認が個別に必要でチェックに非常に労力を要したが、本実施形態では、差し替え部分を強調してプレビュー表示するので、確認が非常に簡単になり間違い印刷を削減することができる。
【００４４】
なお、本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００４５】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００４６】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００４７】
【発明の効果】
以上のように、本発明によれば、イメージデータ中の差し替えデータの領域がそれ以外のデータ領域と視覚的に区別できるように、当該イメージデータを表示するようにしたので、バリアブル印刷での差し替え部分のチェックが非常に簡単になり、間違い印刷を削減することが可能になる。
【図面の簡単な説明】
【図１】本発明の実施の一形態に係るプリント制御システムの全体的構成を示すブロック図である。
【図２】プリンタエンジンの一例を示すリーダ部及びプリンタ部の断面図である。
【図３】プリントデータと差し替えデータの説明図である。
【図４】差し替え後のイメージデータを示す図である。
【図５】プリントデータ出力手段２００の動作を示すフローチャートである。
【図６】画像データ差し替えプリント手段１００の動作を示すフローチャートである。
【図７】図６の続きのフローチャートである。
【図８】プレビュー表示手段３００の動作を示すフローチャートである。
【符号の説明】
１００　画像データ差し替えプリント手段
２００プリントデータ出力手段
１３０　プリントデータ・データベース
１４０　差し替えデータ・データベース
１５０　差し替えデータ変換部
１６０　画像形成部
１７０　イメージデータ格納部
１８０　イメージデータ転送部
１９０　プリントエンジン
３００　プレビュー表示手段
３２０　イメージデータ表示部
４００　ネットワーク
【図１】
2004078669.tif 000003
【図２】
2004078669.tif 000004
【図３】
2004078669.tif 000005
【図４】
2004078669.tif 000006
【図５】
2004078669.tif 000007
【図６】
2004078669.tif 000008
【図７】
2004078669.tif 000009
【図８】
2004078669.tif 000010